(57)【特許請求の範囲】
【請求項１】
レンジフードに組み込み設置されて、調理中に発生する排気流中の油脂分などを捕獲するフィルタであって、
前記排気流が通過する多数の通気孔の集合によって区画形成されて配置される複数の集合通気部と、この集合通気部に隣接して配置される複数の非通気部とをそれぞれ備えている二枚のフィルタ部材を備え、
前記集合通気部と前記非通気部は、前記二枚のフィルタ部材を重ね配したときに、互いに対向する位置関係で前記二枚のフィルタ部材にそれぞれ交互に配置され、
前記二枚のフィルタ部材のうち、少なくとも一方のフィルタ部材側の前記集合通気部が、二枚のフィルタ部材を重ね配した内側または外側に向けて膨出して形成することにより、前記集合通気部と隣接する前記非通気部との間に段差部を有することを特徴とするレンジフード用フィルタ。
【請求項２】
前記集合通気部と前記非通気部は、略矩形形状を呈している前記二枚のフィルタ部材の外周各辺のうち、対向する一方の二辺縁方向に向けて平行な帯状に延び、かつ、対向するもう一方の二辺縁間にそれぞれ交互に配置されていることを特徴とする請求項１に記載のレンジフード用フィルタ。
【請求項３】
前記集合通気部を区画形成する前記通気孔は、開口幅が０．６〜１．０ｍｍの範囲で、開口長さが７〜１３ｍｍの範囲とする細長孔形状に開口されていることを特徴とする請求項１または２に記載のレンジフード用フィルタ。
【請求項４】
前記集合通気部と前記非通気部は、２０〜２３ｍｍの範囲で略等しい幅でそれぞれ交互に配置されていることを特徴とする請求項１〜３の何れか１項に記載のレンジフード用フィルタ。
【発明の詳細な説明】
【技術分野】
【０００１】
本発明は、レンジフード内に組み込み設置されて、調理時に発生する排気流中に含まれている油脂分や埃などを捕獲回収するフィルタに係り、特に、排気流が通過する多数の通気孔を備えて構成されているフィルタに関する。
【背景技術】
【０００２】
フィルタ（グリスフィルタと称されている）としては、略矩形形状に形成されている金属製薄板に、一方向に向けて切り起こし傾斜させた排気流衝突舌片を有する通気孔を設けてなる切り起こし構造のものが知られている。所謂、カットベンドタイプのフィルタが知られている（例えば、特許文献１などを参照）。
この特許文献１のフィルタは、金属薄板に、排気流が通過するときの流れ方向に対して直交させた一方向に多数列のスリット状の孔を設けている。そして、孔の相互で区画された平面部分である排気流衝突舌片を、金属薄板の一側面（フード内設置状態で排気下流側）の方向に向けて、なおかつ、一方向に屈折傾斜するように切り起こすことによって、平面部分を残すことなく一方向に向けて斜めに開口させた通気孔を備えている構成となっている。
これにより、排気流が通気孔を通過するとき、ストレートに通過せずに屈折する排気流衝突舌片に排気流を衝突させることで、排気流中に含まれている油脂分などが排気流衝突舌片に付着されて捕獲回収されるようになっている。
【０００３】
また、従来では、排気流が通過する多数の通気孔を備えている二枚のフィルタ部材を重ね合わせて構成されるフィルタが知られている（例えば、特許文献２などを参照）。
この特許文献２に開示されているフィルタは、外周部に着脱自在に嵌め合せ連結させる嵌込み縁部をそれぞれ設けた前面板と後面板とを備えている。そして、外周の嵌込み縁部を除く前面板と後面板のそれぞれの平坦部全面に、一定のピッチで長孔形状の前部孔と後部孔をそれぞれ穿孔し、前面板と後面板を重ね配したとき、前面板の前部孔が後面板の非孔明き部に対向し、後面板の後部孔が前面板の非孔明き部に対向するように構成されている。
これにより、前面板の前部孔から侵入した排気流が対向する後面板の非孔明き部に当たって向きを変えながら後面板の後部孔から流出する。このとき、後面板の非孔明き部や前面板の非孔明き部への排気流の衝突によって排気流中の油分が非孔明き部に付着されて分離捕獲（捕捉）される。
【先行技術文献】
【特許文献】
【０００４】
【特許文献１】特開平９−３２３０１２号公報
【特許文献２】実開昭６４−４４０１０号公報
【発明の概要】
【発明が解決しようとする課題】
【０００５】
ところで、特許文献２に記載されている従来技術のフィルタは、前部孔と後部孔とが同じ大きさで前面板と後面板のそれぞれの平坦部全面に穿孔されている全面に一定のピッチで配列としている。
つまり、前部孔の開口幅とこれに隣接する前部孔との間に位置する非孔明き部の横幅を等しく、後部孔の開口幅とこれに隣接する後部孔との間に位置する非孔明き部の横幅を等しくして、前面板と後面板を重ね配したとき、前面板の前部孔に対して後面板の非孔明き部を対向させ、後面板の後部孔に対して前面板の非孔明き部を対向させる通気孔部の全面に一定のピッチで配列されているために、前面板の前部孔から侵入してくる排気流が対向する後面板側の非孔明き部に当たる衝突量が低いものとなっていた。
そのために、従来技術のフィルタでは、排気流中の油脂分や埃などの汚れ、特に、油脂分の大半は後面板側の非孔明き部に付着回収されることなく、後面板の後部孔から排気流とともに流出してしまうなどの汚れを取り逃がしてしまうことが多く、汚れを効率よくキャッチすることができない問題があった。
【０００６】
そこで、本発明者らは、このような改善すべき課題に着目し、長年にわたり鋭意研究を重ねた結果、本発明の創案に至ったものであり、排気流が通過する多数の通気孔を備えて構成されるレンジフード用フィルタであって、排気流中の油脂分や埃などの汚れを取り逃がすことなく、確実に、かつ、効率的に付着（衝突）回収することができ、しかも、金属薄板からなるフィルタ自体の剛性を高めるなどによって、清掃性などを向上させるようにさらに改善されたレンジフード用フィルタを提供することにある。
【課題を解決するための手段】
【０００７】
前記課題を解決するために、本発明では、レンジフードに組み込み設置されて、調理中に発生する排気流中の油脂分などを捕獲するフィルタであって、
前記排気流が通過する多数の通気孔の集合によって区画形成されて配置される複数の集合通気部と、この集合通気部に隣接して配置される複数の非通気部とをそれぞれ備えている二枚のフィルタ部材を備え、
前記集合通気部と前記非通気部は、前記二枚のフィルタ部材を重ね配したときに、互いに対向する位置関係で前記二枚のフィルタ部材にそれぞれ交互に配置され、
前記二枚のフィルタ部材のうち、少なくとも一方のフィルタ部材側の前記集合通気部が、二枚のフィルタ部材を重ね配した内側または外側に向けて膨出して形成することにより、前記集合通気部と隣接する前記非通気部との間に段差部を有することを特徴とする。
例えば、前記排気流の排気下流側に位置して配される二枚目のフィルタ部材側の前記集合通気部が、二枚のフィルタ部材を重ね配した内側に向けて膨出して形成されていること、または、前記排気流の排気上流側に位置して配される一枚目のフィルタ部材側の前記集合通気部が、二枚のフィルタ部材を重ね配した外側に向けて膨出して形成されていること、そして、前記非通気部が内面凹状または内面凸状に形成されていること、などの構成を採用することが好適なものとなる。
【０００８】
ここで、前記集合通気部と前記非通気部は、略矩形形状を呈している前記二枚のフィルタ部材の外周各辺のうち、対向する一方の二辺縁方向に向けて平行な帯状に延び、かつ、対向するもう一方の二辺縁間にそれぞれ交互に配置されていることが好適なものとなる。
【００１０】
また、前記集合通気部を区画形成する前記通気孔は、略千鳥状の開口配列とし、その開口幅を０．６〜１．０ｍｍの範囲で、開口長さを７〜１３ｍｍの範囲とする細長孔形状に開口されていること、また、前記集合通気部と前記非通気部は、２０〜２３ｍｍの略等しい幅でそれぞれ交互に配置されていること、などの構成を採用することが好適なものとなる。
【００１１】
このような構成によれば、排気上流側に位置して配される一枚目のフィルタ部材の排気流が流れ込む集合通気部は、略細長孔形状で略千鳥状に配列する多数の通気孔によって平行な帯状に区画形成されていることで、レンジフード（捕獲空間など）に吸い込み捕集されてくる排気流がフィルタを通過するときに、集合通気部の多数の通気孔から分散されて流れ込むこととなる。
つまり、排気流の流れが、集合通気部の多数の通気孔によって分散（整流）されて二枚目のフィルタ部材の対向する各非通気部に衝突することとなって、排気流中の油脂分や埃などの汚れが各非通気部に付着されて回収される。
【００１２】
また、二枚のフィルタ部材を重ね配した内側または外側に向けて前記集合通気部が膨出させている。例えば、排気下流側に位置して配される二枚目のフィルタ部材の前記集合通気部が内側に向けて膨出されている場合では、非通気部が内面凹状となる。これにより、排気流中に含まれている油脂分や埃などの汚れを内面凹状の非通気部に付着させて捕獲回収する。
【発明の効果】
【００１３】
本発明のレンジフード用フィルタによれば、レンジフード（捕獲空間など）に吸い込み捕集されてくる排気流が、一枚目のフィルタ部材の集合通気部から流れ込むとき、その流れが多数の通気孔によって分散（整流）されることにより、分散された排気流が非通気部に衝突して拡散し、さらに拡散した排気流同士の衝突により、非通気部表面への油脂分や埃などの付着を高めることができる。
つまり、従来フィルタのように、まとまった（ひとかたまりの）排気流の衝突に比べ、排気流を分散させることで、排気流中に含まれている油脂分や埃などの汚れの付着（衝突）回収率（捕獲回収率）を向上させることができる。
【００１４】
また、内面凹状に形成されている非通気部に排気流を衝突させて排気流中に含まれている油脂分や埃などの汚れを効率的に付着回収（捕獲回収）することができる。
つまり、排気流の排気下流側に位置するフィルタ部材の集合通気部を、二枚のフィルタ部材を重ね配した内側に向けて膨出させることで、排気上流側に位置するフィルタ部材の集合通気部から流れ込んでくる排気流が衝突する非通気部は、帯状に延びる広い衝突面（面積）を有する内面凹状となって、排気流の衝突は、非通気部の凹状底面、そして凹状立上り面へと繰り返される。これにより、排気流の衝突による油脂分や埃などの汚れの付着回収率（捕獲回収率）を向上させることができる。
また、排気上流側のフィルタ部材の集合通気部を通過した直後の排気流の流れは、通気孔の配列個数に応じて分散化（微細化）された多数の細い流れとなって排気下流側のフィルタ部材の非通気部に衝突する。このとき、細い流れが互いに衝突干渉し合いながら複雑な流れとなることで、分散化された各細い流れ中の汚れの粒子同士が互いに衝突くっ付き合って大きく成長するために、効率よく油脂分や埃などの汚れを捕獲回収することができる。つまり、排気流中の細かな汚れ粒子を大きく成長させながら非通気部へ衝突させて捕獲回収することができる。
さらに、通気孔が略千鳥状に配列されていることで、単純に通気孔の開口短辺部の位置を合わせた配列、所謂碁盤目状の配列の場合に比べて一つの細い流れに対してより多くの細かい流れが隣接するため、細い流れがお互いにより多く衝突干渉し合うことで汚れ粒子同士の衝突成長を助長し、油脂分や埃など汚れをより効率的に捕獲回収することができる。
【００１５】
また、金属薄板からなるフィルタ部材は、集合通気部を内側または外側に膨出させることで、隣接する隣接する非通気部との間に、補強部的な作用を成す段差部（凹状立上り部）を備えた構造を成して板面方向における撓み変形などに対する剛性が高められる。
これにより、使用者はシンクなどにおいて洗浄する際に、フィルタ部材が折れ曲がり損傷するなどの心配をすることなく、スポンジなどの清掃用具を用いて洗浄することができるため、清掃性や取扱い性などの向上が期待できる。
【００１６】
また、排気流が通過する多数の通気孔は、細長孔形状で、開口長さ方向を一方向に向け、かつ、開口長辺縁同士を互いに隣接させた略千鳥状の配列にて開口されていることで、ブラシなどの清掃用具を用いて汚れを取り除く際に、細長孔形状の一端に集められてくる油脂分や埃などが隣どうしで絡まりつくことが抑えられることで清掃性が改善され、汚れを洗い落とすなどによって速やかに取り除くことができる。
また、通気孔の集合によって区画形成される集合通気部に隣接して配置される非通気部は、平行な帯状に延びる広い衝突閉鎖面（面積）であることで、タオルなどを用いて非通気部に付着している汚れを拭き取るという作業で容易に取り除くことができる。これにより、清掃性を従来フィルタに比べて格段に向上させることが期待できる。
【図面の簡単な説明】
【００１７】
【図１】本実施形態に係るフィルタを適用させたレンジフードの一例を示す斜視図である。
【図２】同フィルタを構成する二枚のフィルタ部材のうち、一枚目のフィルタ部材を示す正面図である。
【図３】同二枚目のフィルタ部材を示す正面図である。
【図４】同二枚のフィルタ部材を示し、（ａ）は、対面させた状態で示す斜視図であり、（ｂ）は、重ね配した状態の一部を拡大して示す断面図である。
【図５】同二枚のフィルタ部材を重ね配して構成される本実施形態に係るフィルタの油捕獲率と通気抵抗との関係を示すグラフである。
【図６】他の実施形態に係るフィルタを構成する二枚のフィルタ部材を示し、（ａ）は、対面させた状態で示す斜視図であり、（ｂ）は、重ね配した状態の一部を拡大して示す断面図である。
【図７】他の実施形態に係るフィルタの変形例であり、二枚のフィルタ部材を重ね配した状態で一部を拡大して示す断面図である。
【発明を実施するための形態】
【００１８】
以下、本発明の実施形態について、適宜図面を参照しながら詳細に説明する。
図１は、本実施形態に係るフィルタを適用させたレンジフードの一例を示す斜視図である。
【００１９】
本実施形態に係るフィルタＡが適用されるレンジフードとしては、捕獲空間が浅く形成されている薄型（平型）のフード部を備えて構成される薄型レンジフード、そして、図１に示すように、捕獲空間Ｍが深く形成されている深型のフード部を備えて構成される深型レンジフードなどを挙げることができる。
【００２０】
≪フィルタの構成説明≫
図２および図３は、本実施形態に係るフィルタを構成する二枚のフィルタ部材の一枚目と二枚目のフィルタ部材をそれぞれ示す正面図であり、図４は、二枚のフィルタ部材を対面させた状態の斜視図および重ね配した状態の一部を拡大して示す断面図である。
なお、図４の（ｂ）において、重ね配された二枚のフィルタ部材１，２を境として、紙面下側がレンジフードに組み込み設置され状態で排気流Ｇの排気上流側であり、紙面上側が排気流Ｇの排気下流側である。
フィルタＡは、例えば、図１に示すように、深型レンジフードＢの捕獲空間Ｍなどの吸込み口に、排気流Ｇの排気上流側と排気下流側とを仕切るように組み込み設置されて、送風装置（図示省略）の吸引力によって捕獲空間Ｍに吸い込み捕集されてくる排気流Ｇ中の油脂分や埃などを捕獲回収するものである。
このフィルタＡは、図２および図３に示すように、二枚のフィルタ部材１，２を備えて構成され、この二枚のフィルタ部材１，２を、図４の（ｂ）に示すように、所定の間隔を隔てて重ね配することで構成されるものである。
【００２１】
二枚のフィルタ部材１，２は、亜鉛めっき鋼板、耐食アルミニウム板、ステンレス鋼板などの所望の金属薄板を用いた打抜き、曲げ、絞り加工などによって適宜の大きさを有する略矩形形状にそれぞれ形成されている。
また、二枚のフィルタ部材１，２は、外周各辺に沿わせて所望の高さ（幅）にて折り曲げ連設された外周縁壁部３，４をそれぞれ備えている。
二枚のフィルタ部材１，２のうち、排気下流側に位置して配される二枚目のフィルタ部材２は、一枚目のフィルタ部材１の外周縁壁部３の板厚分、一枚目のフィルタ部材１よりも外周各辺の縁辺幅寸法が小さく形成されている。
これにより、一枚目のフィルタ部材１に対して二枚目のフィルタ部材２が内嵌めにて所定の間隔を隔てて重ね配されるようになっている。つまり、二枚目のフィルタ部材２の外周壁縁部４は、二枚のフィルタ部材１，２を重ね配したときの間隔に相当する高さ（幅）にて形成されている。
【００２２】
そして、このように所定の間隔を隔てて重ね配される二枚のフィルタ部材１，２には、送風装置の吸引力によってレンジフードＢの捕獲空間Ｍに吸い込み捕集されてくる排気流Ｇが通過するための多数の通気孔５，６がそれぞれ設けられている。
【００２３】
≪通気孔の構成説明≫
通気孔５，６は、所定の開口幅と開口長さを有する細長孔形状に形成されている。
この通気孔５，６の開口幅Ｌ１は、０．６〜１．０ｍｍ程度の範囲が好ましく、特に、０．８ｍｍが好ましい。そして、開口長さＬ２は、７〜１３ｍｍ程度の範囲で、特に、１０ｍｍ程度と、かなり細め（小さめ）の細長孔形状（スリット形状）に形成されている。
【００２４】
そして、この通気孔５，６は、図２の拡大図に示すように、開口長辺縁同士を互いに隣接させて開口長さ方向を一方向に向けた略千鳥状の配列にて二枚のフィルタ部材１，２にそれぞれ設けられる。
具体的に述べると、開口長さ方向の両側開口短辺縁を、隣接する通気孔５，６の開口長辺縁の長さ中央部位に位置させて、なおかつ、開口長さ方向を一方向に向けた略千鳥状の配列にて、通気孔５，６は、二枚のフィルタ部材１，２にそれぞれ設けられている。
これにより、図２および図３に示すように、二枚のフィルタ部材１，２に、それぞれの通気孔５，６の集合によって排気流Ｇの集合通気部７，８がそれぞれ区画形成されるとともに、この集合通気部７，８に隣接して非通気部９，１０がそれぞれ形成（確保）されるようになっている。
ちなみに、通気孔５，６の略千鳥状の配列間隔Ｌ３は、開口長辺縁同士間および開口短辺縁同士間においてともに１ｍｍ程度としている。
【００２５】
≪集合通気部および非通気部の説明≫
集合通気部７，８は、略千鳥状に配列される通気孔５，６の集合によって二枚のフィルタ部材１，２にそれぞれ区画形成されるものであり、図２および図３に示すように、二枚のフィルタ部材１，２の外周各辺のうち、対向するそれぞれの一方の二辺縁１ａ、１ｂ，２ａ、２ｂ方向に向けて平行な帯状に延び、かつ、対向するそれぞれのもう一方の二辺縁１ｃ、１ｄ，２ｃ、２ｄ間に略等しい幅で間隔（非通気部）をおいて配置される。
これにより、二枚のフィルタ部材１，２の二辺縁１ｃ、１ｄ，２ｃ、２ｄ間における各集合通気部７，８の間および二辺縁１ｃ、１ｄ，２ｃ、２ｄ側に位置して、排気流Ｇを通さない非通気部９，１０が配置されるようになっている。
つまり、集合通気部７，８と非通気部９，１０は、二枚のフィルタ部材１，２を所定の間隔を隔てて重ね配したときに、図４の（ｂ）に示すように、一枚目のフィルタ部材１側の集合通気部７と二枚目のフィルタ部材２側の非通気部１０、一枚目のフィルタ部材１の非通気部９と二枚目のフィルタ部材２の集合通気部８が互いに対向する位置関係になるように配置される。集合通気部７，８と非通気部９，１０は、二枚のフィルタ部材１，２のそれぞれの二辺縁１ｃ、１ｄ，２ｃ、２ｄ間に略等しい幅でそれぞれ交互に配置される。
【００２６】
具体的に説明すると、例えば、二枚のフィルタ部材１，２のそれぞれの外周各辺の幅寸法を、２５０〜３４０ｍｍ程度とし、そして、集合通気部７，８と非通気部９，１０の略等しい幅の平行に延びる帯状幅（交互配置の幅）としている。この平行に延びる帯状幅を、２０〜２３ｍｍ程度にした場合、図２に示すように、一枚目のフィルタ部材１側では、略等しい幅で四列にて集合通気部７が配置され、この各集合通気部７の間に三列、両辺縁１ｃ，１ｄ側に沿わせた二列の計五列の非通気部９が配置される。
一方、二枚目のフィルタ部材２側では、一枚目のフィルタ部材１側の集合通気部７の間における三列の非通気部９に対応させた三列にて集合通気部８が配置され、この各集合通気部８の間に二列、両辺縁２ｃ，２ｄ側に沿わせた二列の計四列の非通気部１０が配置される。
これにより、二枚のフィルタ部材１，２を重ね配したときに、一枚目のフィルタ部材１側の集合通気部７と二枚目のフィルタ部材２側の非通気部１０、一枚目のフィルタ部材１の非通気部９と二枚目のフィルタ部材２の集合通気部８が互いに対向する位置関係となって、図４の（ｂ）に示すように、排気上流側に位置して配される一枚目のフィルタ部材１の各集合通気部７から流れ込む排気流Ｇは、排気下流側に位置して配される二枚目のフィルタ部材２側の対向する各非通気部１０に衝突する排気流Ｇの流れとなり、各非通気部１０への衝突により流れ方向が略鋭角に変えられた排気流Ｇは、各非通気部１０に隣接して配置されている各集合通気部８から抜けて屋外排気または屋内（室内）循環されるものである。
【００２７】
なお、二枚目のフィルタ部材２側における集合通気部８は、図３に二点鎖線で示したように、二辺縁２ｃ，２ｄに沿わせてそれぞれ配置することができる。この場合、三列の集合通気部８のうち、二辺縁２ｃ，２ｄ側に位置する両側二列の集合通気部８との間にそれぞれ非通気部１０を確保し得るように、該両側二列の集合通気部８との間の間隔をあける。
これにより、排気流ＧがフィルタＡを通過するときの、通気抵抗を緩和することができる。
【００２８】
そして、本実施形態では、このように形成されている二枚のフィルタ部材１，２を重ね配して構成されるフィルタＡ（試験体）について、油捕獲率（油捕集率とも称されている）と通気抵抗を確認するために、以下内容の各試験体を用いて試験を行い、その試験結果を表１および図５に示す。
この試験は、外周各辺の幅寸法が２５０〜３４０ｍｍの二枚のフィルタ部材を用い、そして、開口幅Ｌ１が０．８ｍｍ、開口長さＬ２が１０ｍｍの開口サイズ０．８×１０ｍｍからなる通気孔をフィルタ部材の全面に略等しい幅で千鳥状に配列してなる試験体（以後、「比較例１」という）と、サイズ０．８×１０ｍｍの通気孔の千鳥状配列の集合によって区画形成される集合通気部と非通気部との平行に延びる帯状幅（交互配置の幅）を５ｍｍに設定してなる試験体（以後、「比較例２」という）、同帯状幅を１０ｍｍに設定してなる試験体（以後、「比較例３」という）、２０ｍｍに設定してなる試験体（以後、「実施例１」という）、３０ｍｍ試験体（以後、「実施例２」という）、４０に設定してなる試験体（以後、「比較例４」という）をそれぞれ準備し、排気風量を４００ｍ３／ｈ、通気風速を１．５および３ｍ／ｓにそれぞれに設定した試験条件にて行った。
【００２９】
そして、このときの試験順序は、以下のａ〜ｅとする。
ａ．加熱調理器の上に載せたフライパンをあらかじめ熱しておく。
ｂ．フライパンの上方より、油滴（１０秒１０滴１２．５ｇ／５分間程度）、水滴（１０秒３０滴３９．８ｇ／５分間程度）を滴下する。
ｃ．蒸発した油脂分をレンジフードで排気する。
ｄ．排気する際にフィルタで油脂分を捕獲（捕集）する。
ｅ．試験時間は１時間とし、これを３回繰り返してその平均値をとる。
【００３０】
そして、フィルタに対する油脂分の付着量と油脂分の発生量を測定することで、油捕獲率（油捕集率）を求めることができる。この油捕獲率は次式により求められる。
油捕獲率＝（フィルタの油分付着量／油分発生量）×１００（％）
なお、この油捕獲率は、財団法人ベターリビングが優良住宅部品として認定する場合の評価基準で「上式により求めた値が３０％以上であること」と定めている。
【００３１】
【表１】
0005635359.tif 000002
【００３２】
表１および図５から明らかなように、比較例１（全開）の場合、通気抵抗は低いが、油捕獲率が４４％程度である。比較例２（５ｍｍ）と比較例３（１０ｍｍ）の場合、通気抵抗は低いが、油捕獲率が６５％程度である。比較例４（４０ｍｍ）の場合、油捕獲率は７７％であるが、通気抵抗が７６Ｐａと高い。
しかして、通常のレンジフードにおけるグリスフィルタの通気抵抗は、一般的な送風装置の能力を鑑みて、４００ｍ3 ／ｈ時において５０Ｐａ以下が目安であるが、比較例４の通気抵抗７６Ｐａは高すぎる。これに比べ、実施例１（２０ｍｍ）と実施例２（３０ｍｍ）の場合、油捕獲率は７０％以上を確保し、通気抵抗を５０Ｐａ以下に抑えることができた。
これにより、集合通気部（サイズ０．８×１０ｍｍの通気孔の千鳥状配列の集合によって区画形成）と非通気部との平行に延びる帯状幅（交互配置の幅）は実施例１、２のフィルタが好適であることが分かった。
【００３３】
［他の実施形態の説明］
図６は、他の本実施形態に係るフィルタを構成する二枚のフィルタ部材を対面させた状態の斜視図および重ね配した状態の一部を拡大して示す断面図である。
なお、この他の実施形態に係るフィルタＡ−１は、二枚のフィルタ部材１−１，２−１のうち、図６に示すように、排気流Ｇの排気下流側に位置して配される二枚目のフィルタ部材２−１の集合通気部８−１を、二枚のフィルタ部材１−１，２−１を重ね配した内側方向に向けて膨出させて形成し、一枚目のフィルタ部材１−１の非通気部９−１と対向するように形成している。同様に一枚目のフィルタ部材１−１の集合通気部７−１を重ね配した内側方向に向けて膨出させて形成し、二枚目フィルタ部材２−１の非通気部１０−１と対向するように形成している。それ以外の構成要素においては前記の実施形態と基本的に同じであり、同じ構成要素に同じ符合を付することで重複説明は省略する。
【００３４】
すなわち、図６（ｂ）の拡大断面図に示すように、二枚目のフィルタ部材２−１の各集合通気部８−１を二枚のフィルタ部材を重ね配した内側に向けて膨出させることで、隣接する各非通気部１０−１を内面凹状にそれぞれ形成している。
同様に、一枚目のフィルタ部材１−１の各集合通気部７−１を、二枚のフィルタ部材を重ね配した内側に向けて膨出させることで、隣接する各非通気部９−１を内面凹状にそれぞれ形成している。
【００３５】
このように、一枚目のフィルタ部材１−１の各集合通気部７−１から流れ込んでくる排気流Ｇが衝突する二枚目のフィルタ部材２−１の各非通気部１０−１を内面凹状とすることで、各非通気部１０−１への排気流Ｇの衝突による排気流Ｇ中の油脂分や埃などの汚れの付着回収率（捕獲回収率）を高めることができる。
つまり、内面凹状の非通気部１０−１への排気流Ｇの衝突は、凹状底面、そして凹状立上り面へと繰り返されることとなり、排気流Ｇの衝突による油脂分や埃などの汚れの付着回収率（捕獲回収率）を向上させることができる。
【００３６】
また、フィルタ部材１−１，２−１の集合通気部７−１，８−１を膨出させて隣接する非通気部９−１，１０−１との間に、補強部的な作用を成す段差部（凹状立上り部）を備えた構成を採用することで、金属薄板からなるフィルタ部材１−１，２−１の板面方向における撓み変形などに対する剛性が高められる。
これにより、使用者はシンクなどにおいて洗浄する際に、フィルタ部材１−１，２−１が折れ曲がり損傷するなどの心配をすることなく、スポンジなどの清掃用具を用いて洗浄することができるため、清掃性や取扱い性などの向上が期待でき、有益である。
【００３７】
図７は、他の実施形態に係るフィルタの変形例であり、二枚のフィルタ部材を重ね配した状態で一部を拡大して示す断面図である。
また、他の実施形態に係るフィルタＡ−１では、図７に示すように、二枚のフィルタ部材１−１，２−１の集合通気部７−１，８−１の膨出方向を、前記他の実施形態詳述の膨出方向に対して逆向き方向としている。なお、この変形例に係るフィルタＡ−１では、集合通気部７−１，８−１の膨出方向を変えた以外の構成要素においては前記他の実施形態と基本的に同じであり、同じ構成要素に同じ符合を付することで重複説明は省略する。
【００３８】
すなわち、図７に示すように、二枚のフィルタ部材１−１，２−１のうち、二枚目のフィルタ部材２−１の各集合通気部８−１を、二枚のフィルタ部材１−１，２−１を重ね配した外側（排気流Ｇの排気下流側）に向けて膨出させることで、隣接する各非通気部１０―１を内面凸状にそれぞれ形成している。そして、一枚目のフィルタ部材１−１の各集合通気部７−１を、二枚のフィルタ部材１−１，２−１を重ね配した外側（排気流Ｇの排気上流側）に向けて膨出させることで、隣接する各非通気部９−１を内面凸状、換言すれば、外面凹状にそれぞれ形成している。
【００３９】
このように、二枚のフィルタ部材１−１，２−１の各集合通気部７−１，８−１の膨出方向を外面凸状とし、隣接する各非通気部９−１，１０−１を内面凸状とした構成形態のフィルタＡ−１を採用することで、排気上流側に位置する一枚目のフィルタ部材１−１の各集合通気部７−１から排気下流側に位置する二枚目のフィルタ部材２−１との間に排気流Ｇが流れ込むとき、排気流Ｇの一部が、図７に示すように、外面凹状の非通気部９−１に衝突してその流れ方向を集合通気部７−１側に大きく方向変換することを繰り返すこととなり、排気流Ｇの非通気部９−１への衝突による油脂分や埃などの汚れの付着回収率（捕獲回収率）を向上させることができる。
これは、一枚目のフィルタ部材１−１に到達して集合通気部７−１から直接二枚目のフィルタ部材２−１との間に流れ込む排気流Ｇの流れとの干渉によって、排気流Ｇの一部が、非通気部９−１側に流れを変えて衝突した後にその流れ方向を集合通気部７−１側に大きく方向変換することを繰り返すことが一枚目のフィルタ部材１−１の外表面において起こるからである。
【００４０】
なお、本発明の実施形態の具体的な構成は、前記した各実施形態に限られるものではなく、請求項１から請求項６に記載の本発明の要旨を逸脱しない範囲で設計変更などがあっても本発明に含まれるものである。
例えば、二枚のフィルタ部材１、１−１，２、２−１への集合通気部７、７−１，８、８−１の帯状幅（交互配置の幅）を変えることで、その配置列数を任意に設定することができる。一枚目のフィルタ部材１、１−１への集合通気部７、７−１の配置列数を、６列から１２列などの範囲内で任意に設定することができる。
【００４１】
また、他の実施形態に係るフィルタＡ−１において、一枚目のフィルタ部材１−１の集合通気部７−１を外面凹状に形成せずに、非通気部９−１と面一とする平ら面とすることができる。
【００４２】
また、集合通気部７、７−１，８、８−１における通気孔５，６の開口配列を、略格子状の配列とすることができる。
【００４３】
さらに、二枚のフィルタ部材１、１−１，２、２−１の対向するそれぞれの一方の二辺縁１ａ、１ｂ，２ａ、２ｂ方向を、辺縁１ａ，２ａ側と１ｂ，２ｂ側に略等しく半分に分けて、辺縁１ａ，２ａ側と１ｂ，２ｂ側に集合通気部７、７−１，８、８−１と非通気部９、９−１，１０、１０−１を略等しい幅でそれぞれ交互配置する配置形態を採用することができる。
この場合、辺縁１ａ，２ａ側に配置される各集合通気部７、７−１，８、８−１の１ｂ，２ｂ側に至る帯状延長上に位置して、１ｂ，２ｂ側においては非通気部９、９−１，１０、１０−１が配置される配置形態とすることができる。
【００４４】
また、集合通気部７、７−１，８、８−１と非通気部９、９−１，１０、１０−１を、二枚のフィルタ部材１、１−１，２、２−１に略等しい幅で碁盤目状などに交互配置する配置形態とすることができる。
【符号の説明】
【００４５】
Ａ，Ａ−１  フィルタ
１、１−１，２、２−１  フィルタ部材
１ａ，１ｂ，１ｃ，１ｄ、２ａ，２ｂ，２ｃ，２ｄ  辺縁
３，４  外周縁壁部
５，６  通気孔
７、７−１，８、８−１  集合通気部
９、９−１，１０、１０−１  非通気部
Ｂ      レンジフード
Ｇ      排気流
【図１】
0005635359.tif 000003
【図２】
0005635359.tif 000004
【図３】
0005635359.tif 000005
【図４】
0005635359.tif 000006
【図５】
0005635359.tif 000007
【図６】
0005635359.tif 000008
【図７】
0005635359.tif 000009